(57)【要約】【課題】構造の簡単化を図りつつ、インタークーラ内で発生した液滴のエンジンへの流入を防止することができるエンジンの吸気装置を提供する。【解決手段】吸気通路の途中部に設けられたチャンバ２０と、このチャンバ２０内に配設されたインタクーラ４０と、チャンバ２０の下流端部から上方に延びると共にチャンバ２０よりも通路面積を絞るように形成された絞り吸気通路２６と、絞り吸気通路２６と複数気筒の吸気ポート１ｂとを接続する拡大吸気通路２７と、絞り吸気通路２６とチャンバ２０との接続部２５近傍位置に液滴をトラップするバッフルプレート２８とを備え、バッフルプレート２８のうちの絞り吸気通路２６の軸心Ｃ側端部に略部分円形の切欠部２８ａを設け、バッフルプレート２８の取付部の上流側に絞り吸気通路２６の径方向外側へ膨出したボリューム室２９を設けた。【選択図】  図６
2015124689.tif 000002
【特許請求の範囲】
【請求項１】
吸気通路の途中部に設けられたチャンバと、このチャンバ内に配設されたインタクーラとを備えたエンジンの吸気装置において、
前記チャンバの下流端部から上方に延びると共に前記チャンバよりも通路面積を絞るように形成された絞り吸気通路と、
前記絞り吸気通路と複数気筒の吸気ポートとを接続する拡大吸気通路と、
前記絞り吸気通路と前記チャンバとの接続部近傍位置に液滴をトラップするバッフルプレートとを備えたことを特徴とするエンジンの吸気装置。
【請求項２】
前記バッフルプレートが前記絞り吸気通路と前記チャンバとの接続部近傍位置の内壁部のうち前記インタクーラに対向する内壁部分に形成されたことを特徴とする請求項１に記載のエンジンの吸気装置。
【請求項３】
前記絞り吸気通路と前記チャンバとの接続部近傍位置が外方へ凸となる凸部を有し、
前記凸部の内壁部に前記バッフルプレートを形成したことを特徴とする請求項１又は２に記載のエンジンの吸気装置。
【請求項４】
前記バッフルプレートのうちの絞り吸気通路の軸心側端部に略部分円形の切欠部を設けたことを特徴とする請求項１〜３の何れか１項に記載のエンジンの吸気装置。
【請求項５】
前記バッフルプレートが吸気の流れ方向下流側程絞り吸気通路の軸心から離隔するように傾斜状に形成されたことを特徴とする請求項１〜４の何れか１項に記載のエンジンの吸気装置。
【請求項６】
前記バッフルプレートの取付部の上流側に絞り吸気通路と前記チャンバとの接続部近傍位置の径方向外側へ膨出したボリューム室を設けたことを特徴とする請求項１〜５の何れか１項に記載のエンジンの吸気装置。
【請求項７】
前記バッフルプレートの上流側近傍部と下流側近傍部の少なくとも一方に第２のバッフルプレートを設けたことを特徴とする請求項１〜６の何れか１項に記載のエンジンの吸気装置。
【請求項８】
前記絞り吸気通路にＥＧＲガスを導入することを特徴とする請求項１〜７の何れか１項に記載のエンジンの吸気装置。
【発明の詳細な説明】
【技術分野】
【０００１】
本発明は、エンジンの吸気装置に関し、特に吸気通路の途中部に設けられたチャンバ内にインタークーラが配設されたエンジンの吸気装置に関する。
【背景技術】
【０００２】
従来より、エンジンの高出力化の手法として、排気ガスの熱エネルギによりタービンを駆動し、これに連動するコンプレッサにより燃焼室内に供給される吸気を過給するターボ過給機等が実用に供されている。ターボ過給機では、圧縮された吸気温度が、例えば８０〜１２０℃まで上昇するため、この高温の吸気がそのまま燃焼室内に供給された場合、吸気密度の低下によって実質的な吸気充填効率が期待した程高くならないことから、燃焼室内に供給される前に温度が上昇した吸気をインタークーラによって冷却することが行われている。
【０００３】
特許文献１のエンジンの吸気装置は、吸気通路の途中部に設けられた吸気分配管としてのインテークマニホールドが、サージタンクと、エンジンの各気筒内に吸気を誘導する複数の吸気ブランチ等を備え、サージタンク内部に水冷式インタークーラが格納されている。
インタークーラが搭載された吸気装置では、吸気中に含まれる水蒸気等の水分がインタークーラ（フィン）と熱交換を行うため、水分が凝縮して滴下する。滴下した凝縮水は吸気が持ち込む水等と混ざった残留液として集積部に集められた後、外部に排出される。
それ故、スロットル開度が急に大きくなったとき、集積部に集められた残留液が水滴状又は霧状になって吸気に混入する虞があり、液滴が大量に燃焼室に吸い込まれた場合には、エンジンが失火する虞もある。
【０００４】
特許文献２のエンジンの吸気装置は、吸気流入口が設けられた入口側タンクと吸気排出口が設けられた出口側タンクとを備えたインタークーラを有し、インタークーラの出口側タンクの下部に熱交換によって発生した凝縮水を貯留するための凝縮水タンクを設け、凝縮水タンクの上部近傍に凝縮水タンク上方から吸気排出口に向かう吸気の一部を凝縮水タンクに戻すための水返しプレートを形成している。
【先行技術文献】
【特許文献】
【０００５】
【特許文献１】特開２０１１−１８５１４７号公報
【特許文献２】特開２０１２−１１７４５５号公報
【発明の概要】
【発明が解決しようとする課題】
【０００６】
特許文献２のエンジンの吸気装置は、凝縮水タンクの上部近傍に設けられた水返しプレートが液滴を混入した吸気を凝縮水タンクに戻す方向に案内するため、液滴を含む吸気が残留液（凝縮水）に接触し、吸気中に含まれる液滴が凝縮水タンクに戻される。
それ故、スロットル開度が急に大きくなったとき、凝縮水タンクから持ち去られる残留液を低減することができ、燃焼室への液滴の流入を防止することができる。
【０００７】
しかし、特許文献２のエンジンの吸気装置は、凝縮水タンクに既に貯留された残留液から吸気に混入する液滴を低減することができるものの、凝縮水タンクに貯留される以前の凝縮水の吸気への混入防止について、十分な対策とは言い難い。
つまり、吸気がインタークーラ（フィン）と熱交換を行う際、吸気中に含まれる水分が凝縮してインタークーラに付着し、この付着した凝縮水が成長した後、滴下して凝縮水タンク等の集積部に貯留されるため、燃焼室に流入する液滴は、凝縮水タンクに貯留されている残留液だけでなく、インタークーラに付着している凝縮水の割合も少なくない。
特許文献２のエンジンの吸気装置では、凝縮水タンク上方から吸気排出口に向かう吸気に含まれる液滴を捕獲しているが、インタークーラ（フィン）の上半部分から吸気排出口に向かう吸気に含まれる液滴を捕獲することができない。
【０００８】
本発明の目的は、構造の簡単化を図りつつ、インタークーラ内で発生した液滴のエンジンへの流入を防止できるエンジンの吸気装置等を提供することである。
【課題を解決するための手段】
【０００９】
請求項１のエンジンの吸気装置は、吸気通路の途中部に設けられたチャンバと、このチャンバ内に配設されたインタクーラとを備えたエンジンの吸気装置において、前記チャンバの下流端部から上方に延びると共に前記チャンバよりも通路面積を絞るように形成された絞り吸気通路と、前記絞り吸気通路と複数気筒の吸気ポートとを接続する拡大吸気通路と、前記絞り吸気通路と前記チャンバとの接続部近傍位置に液滴をトラップするバッフルプレートとを備えたことを特徴としている。
【００１０】
このエンジンの吸気装置では、絞り吸気通路がチャンバの下流端部から上方に延びると共にチャンバよりも通路面積を絞るように形成されているため、インタークーラ内に導入された吸気は、インタークーラを流通後、貯留されている残留液やインタークーラに付着している凝縮水を混入した状態で絞り吸気通路に全て集約されている。
そして、絞り吸気通路とチャンバとの接続部近傍位置に設けたバッフルプレートにより、吸気通路を制限することなく集約されつつある吸気から混入している液滴をトラップするため、トラップ性能を確保しつつ、バッフルプレートを小型化することができる。
【００１１】
請求項２の発明は、請求項１の発明において、前記バッフルプレートが前記絞り吸気通路と前記チャンバとの接続部近傍位置の内壁部のうち前記インタクーラに対向する内壁部分に形成されたことを特徴としている。
【００１２】
これにより、バッフルプレートの大きさが絞り吸気通路と前記チャンバとの接続部近傍位置の内壁部に制限されるため、バッフルプレートを最小化することができ、トラップ性能とコンパクト化とを両立することができる。
【００１３】
請求項３の発明は、請求項１又は２の発明において、前記絞り吸気通路と前記チャンバとの接続部近傍位置が外方へ凸となる凸部を有し、前記凸部の内壁部に前記バッフルプレートを形成したことを特徴としている。
【００１４】
これにより、凸部を利用して吸気通路の軸心に対して液滴の流れを偏心させることができ、バッフルプレートによって能率的に液滴をトラップすることができる。
【００１５】
請求項４の発明は、請求項１〜３の何れか１項の発明において、前記バッフルプレートのうちの絞り吸気通路の軸心側端部に略部分円形の切欠部を設けたことを特徴としている。
【００１６】
これにより、吸気の主流が流通する絞り吸気通路の軸心側部分の吸気の流れを許容することができ、バッフルプレート設置に伴う吸気抵抗を低減しながらトラップ性能を確保できる。
【００１７】
請求項５の発明は、請求項１〜４の何れか１項の発明において、前記バッフルプレートが吸気の流れ方向下流側程絞り吸気通路の軸心から離隔するように傾斜状に形成されたことを特徴としている。
【００１８】
これにより、バッフルプレート設置に伴う吸気抵抗を更に低減しつつ、トラップ性能を確保できる。
【００１９】
請求項６の発明は、請求項１〜５の何れか１項の発明において、前記バッフルプレートの取付部の上流側に絞り吸気通路と前記チャンバとの接続部近傍位置の径方向外側へ膨出したボリューム室を設けたことを特徴としている。
【００２０】
これにより、吸気の通路面積に影響を与えることなく、簡単な構造でトラップ性能を向上することができる。
【００２１】
請求項７の発明は、請求項１〜６の何れか１項の発明において、前記バッフルプレートの上流側近傍部と下流側近傍部の少なくとも一方に第２のバッフルプレートを設けたことを特徴としている。
【００２２】
これにより、上流側のバッフルプレートで捕獲されない液滴を下流側のバッフルプレートで捕獲するため、トラップ性能を更に向上することができる。
【００２３】
請求項８の発明は、請求項１〜７の何れか１項の発明において、前記絞り吸気通路にＥＧＲガスを導入することを特徴としている。
【００２４】
これにより、トラップ性能を確保しつつ、絞り吸気通路を利用してＥＧＲガスを各気筒に均等分配することができる。
【発明の効果】
【００２５】
本発明のエンジンの吸気装置によれば、構造の簡単化を図りつつ、インタークーラ内で発生した液滴のエンジンへの流入を防止することができる。
【図面の簡単な説明】
【００２６】
【図１】本実施形態における、エンジンに付設された吸気装置及び排気装置の各構成を示す概略図である。
【図２】吸気装置本体の外観を示す概略斜視図である。
【図３】上側から視た、吸気装置本体の外観を示す概略図である。
【図４】後側から視た、吸気装置本体の外観を示す概略図である。
【図５】図４のV−V線断面図である。
【図６】図４のVI−VI線断面図である。
【図７】図６のVII−VII線断面図である。
【図８】図６のVIII−VIII線断面図である。
【図９】図４のIX−IX線断面図である。
【図１０】図４における、仮想線で示す範囲の吸出し手段の内部構造を示す、概略断面図である。
【図１１】図４における、左側の矢印XIで示す方向から見た、概略図である。
【図１２】図１１のXII−XII線断面図である。
【図１３】変形例に係る図６に相当図である。
【図１４】他の変形例に係る図６に相当図である。
【発明を実施するための形態】
【００２７】
以下、本発明の実施形態を図面に基づいて詳細に説明する。
以下の説明は、本質的に例示に過ぎず、本発明、その適用物あるいはその用途を制限するものではない。
【００２８】
まず、エンジン１に付設された各構成の概略について説明する。
図１に、エンジン１と、これに付設されている吸気装置２及び排気装置４の各構成を示す。エンジン１は、自動車に搭載される直列４気筒のディーゼルエンジンであり、その内部に、燃料と吸気との混合気を燃焼させて動力を取り出す４つのシリンダ１ａが列状に配置されている。尚、燃料の供給系統については図示を省略している。
【００２９】
エンジン１には、吸気ポート１ｂと排気ポート１ｃとが、シリンダ１ａ毎に２つずつ設けられている。各吸気ポート１ｂは、吸気装置２に接続されており、吸気装置２及び各吸気ポート１ｂを通じて各シリンダ１ａに吸気が導入される。各排気ポート１ｃは、排気装置４に接続されており、排気装置４及び各排気ポート１ｃを通じて各シリンダ１ａで発生する排気が導出され、清浄化等の処理がなされた後、大気中に排出される。
【００３０】
次に、吸気装置２の概要について説明する。
吸気装置２の吸気通路における最上流部位には、エアクリーナ１０が配置されている。エアクリーナ１０は、外気から塵や埃を除去して、清浄にした空気（吸気）を吸気通路に導入する。エアクリーナ１０の下流側は第１吸気配管２ａを介して過給機１１に接続されており、吸気は、過給機１１に備えられたコンプレッサ１１ａで過給される。
【００３１】
そして、過給機１１の下流側は、第２吸気配管２ｂを介して吸気装置本体５に接続されている。詳細は後述するが、吸気装置本体５には、チャンバ２０やインタークーラ４０、バルブユニット５０等が一体的にユニット化されている。
インタークーラ４０は、チャンバ２０に収容されており、チャンバ２０に流入する吸気を冷却する。このインタークーラ４０は、水冷式であり、ウォータポンプ４１から冷却配管４２を介してインタークーラ４０に冷却水が循環供給されている。
【００３２】
チャンバ２０より下流側の吸気通路（後述する絞り吸気通路２６及び拡大吸気通路２７によって構成）は、直接的に、エンジン１の各吸気ポート１ｂに連結されている。従って、インタークーラ４０で冷却されるとともにチャンバ２０で均質化、均圧化された吸気は、直ちに各シリンダ１ａに導入される。吸気の流れに対し、チャンバ２０より上流側に位置する吸気通路（第１吸気配管２ａ、第２吸気配管２ｂ、及び後述する連結通路５１）が上流側吸気通路を構成し、チャンバ２０より下流側の吸気通路が下流側吸気通路を構成している。
【００３３】
次に、排気装置４の概要について説明する。
排気装置４には、各排気ポート１ｃに連結された第１排気配管４ａが備えられており、各シリンダ１ａで発生する排気は、第１排気配管４ａに導入される。第１排気配管４ａの下流側は、過給機１１に接続されている。過給機１１には、排気を利用して作動するタービン１１ｂが備えられており、コンプレッサ１１ａは、このタービン１１ｂによって駆動されている。
【００３４】
過給機１１の下流側に連なる第２排気配管４ｂには、排気中のＣＯやＨＣを除去する酸化触媒１２と、排気中の粒子状物質を除去するＤＰＦ（Diesel Particulate Filter）１３とが配置されている。ＤＰＦ１３の下流側に連なる第３排気配管４ｃは、サイレンサ１４に接続されている。このサイレンサ１４の出口は、大気中に開放されており、排気装置４に導入された排気は、この出口から外部に排出される。
【００３５】
このエンジン１の吸気装置２及び排気装置４には、高圧ＥＧＲ装置１５、低圧ＥＧＲ装置１６、及びブローバイガス還流装置１７が備えられている。
高圧ＥＧＲ装置１５は、吸気に高圧ＥＧＲガスを導入する装置である。排気が、過給機１１、酸化触媒１２、及びＤＰＦ１３を通過して減圧及び清浄化される前に、高圧ＥＧＲ装置１５は、これら過給機１１等の上流側から、吸気通路２の下流側の高圧部位に排気を還流させる。
高圧ＥＧＲ装置１５は、高圧ＥＧＲ配管１５ａ、高圧ＥＧＲクーラ１５ｂ、高圧ＥＧＲバルブ１５ｃなどで構成されている。
【００３６】
高圧ＥＧＲ配管１５ａは、その上流側の一端が第１排気配管４ａに接続され、各シリンダ１ａから導出された直後の排気の一部（高圧ＥＧＲガス：カーボンを含む）を取り込む。高圧ＥＧＲ配管１５ａの下流側の他端は、吸気装置本体５の下流側の吸気通路に設けられた第１ガス導入口１８に接続されている。高圧ＥＧＲクーラ１５ｂは、高圧ＥＧＲ配管１５ａを流れる高圧ＥＧＲガスを冷却する。高圧ＥＧＲバルブ１５ｃは、高圧ＥＧＲ配管１５ａを流れる高圧ＥＧＲガスの流量を調整する。冷却及び流量調整が行われた高圧ＥＧＲガスは、第１ガス導入口１８を通じて吸気に合流する。
【００３７】
低圧ＥＧＲ装置１６は、吸気に低圧ＥＧＲガスを導入する装置である。排気が、過給機１１、酸化触媒１２、及びＤＰＦ１３を通過して減圧及び清浄化された後に、低圧ＥＧＲ装置１６は、これら過給機１１等の下流側から、吸気通路の上流側の低圧部位に排気を還流させる。
低圧ＥＧＲ装置１６は、低圧ＥＧＲ配管１６ａ、低圧ＥＧＲクーラ１６ｂ、低圧ＥＧＲバルブ１６ｃなどで構成されている。
【００３８】
低圧ＥＧＲ配管１６ａは、その上流側の一端が第３排気配管４ｃに接続され、減圧及び清浄化されて外部に排出される前の排気の一部（低圧ＥＧＲガス：高圧ＥＧＲガスと比べるとカーボンは少ないが、水分が多い）を取り込む。低圧ＥＧＲ配管１６ａの下流側の他端は、過給機１１よりも上流側に位置する第１吸気配管２ａに設けられた第２ガス導入口１９に接続されている。低圧ＥＧＲクーラ１６ｂは、低圧ＥＧＲ配管１６ａを流れる低圧ＥＧＲガスを冷却する。低圧ＥＧＲバルブ１６ｃは、低圧ＥＧＲ配管１６ａを流れる低圧ＥＧＲガスの流量を調整する。冷却及び流量調整が行われた低圧ＥＧＲガスは、第２ガス導入口１９を通じて吸気に合流する。
【００３９】
ブローバイガス還流装置１７は、吸気にブローバイガスを導入する装置である。ブローバイガス還流装置１７は、ブローバイガス取込口１７ａや、ブローバイガス導入口１７ｂと、ブローバイガス配管１７ｃなどで構成されている。ブローバイガス取込口１７ａは、例えば、エンジン１のシリンダヘッド等に設置され、エンジン１の作動時にシリンダ１ａから周囲に流出する未燃焼の混合気（ブローバイガス：水分や油分、カーボンを含む）を取り込む。ブローバイガス導入口１７ｂは、吸気通路の上流側に位置する低圧部位、具体的には第１吸気配管２ａに設置されている。ブローバイガス配管１７ｃは、ブローバイガス取込口１７ａとブローバイガス導入口１７ｂとに接続されている。ブローバイガス取込口１７ａから取り込まれたブローバイガスは、ブローバイガス配管１７ｃ及びブローバイガス導入口１７ｂを通じて吸気に合流する。
【００４０】
次に、吸気装置本体５の具体的構成について説明する。
図２〜図９，図１１に示すように、吸気装置本体５は、チャンバ２０、バルブユニット５０、インタークーラ４０等を備えている。尚、図中、矢印Ｆは前方を示し、矢印Ｌは左方を示し、矢印Ｔは上方を示している。
【００４１】
チャンバ２０は、５つの分割パーツを連結して構成された樹脂成型品であり、図５〜図９に示すように、その内部に吸気の流路を拡張する大容量の内部空間Ｓが形成されている。チャンバ２０の後部には、吸気通路に接続される導入部２1が形成されており、吸気は、この導入部２1を通じてチャンバ２０に流入する。チャンバ２０の内部空間Ｓは、導入部２1よりも拡大した流路断面積（吸気の流れに直交する方向の断面の面積）を有しており、チャンバ２０に流入する吸気は、内部空間Ｓで拡散し、均質化、均圧化が促進される。
【００４２】
図９に示すように、バルブユニット５０は、導入部２1に隣接して設置され、第２吸気配管２ｂと接続されている。バルブユニット５０には、導入部２1と第２吸気配管２ｂとの間に介在する円筒状の連結通路５１（上流側吸気通路を構成）や、連結通路５１の内部に回動可能に支持された円板状の弁体５２（スロットルバルブ）、弁体５２を回転駆動すると共にその動きを制御するバルブ制御ユニット５３等が備えられている。バルブユニット５０は、弁体５２の動きを制御して吸気通路の開度を変化させることにより、チャンバ２０に流入させる吸気導入量を調整している。
【００４３】
インタークーラ４０は、吸気との間で熱交換を行う流路を内部に有する直方体形状をした構造体であり、内部空間Ｓに収容されている。内部空間Ｓは、インタークーラ４０により、冷却前の吸気が流れる吸気導入室２２と、冷却後の吸気が流れる吸気導出室２３とに前後に区分されている。
吸気導入室２２は、バッフルプレート２４により、エンジン１が低負荷運転のとき、主にインタークーラ４０側に吸気を流通させる上流側空間部２２ａと、エンジン１が高負荷運転のとき、上流側空間部２２ａと協働してインタークーラ４０側に吸気を流通させる下流側空間部２２ｂとに区分されている。
【００４４】
図７，図９に示すように、上流側空間部２２ａは、チャンバ２０の後部に形成された導入部２1に連なるように構成され、導入部２1は、インタークーラ４０内部を流れる吸気の流れ方向に略平行な上流側空間部２２ａの縦壁部２２ｗに形成されている。図において破線で示すように、導入部２1から導入された吸気は、左側から右側に向かって上流側空間部２２ａ内を流れる。上流側空間部２２ａの右側端部（吸気の流れ方向下流側端部）には、吸気が流通可能な連通路２４ａが形成されている。
【００４５】
図５〜図７に示すように、下流側空間部２２ｂは、左右方向に延びるバッフルプレート２４を境として上流側空間部２２ａの下側に設けられている。下流側空間部２２ｂの右側端部（吸気の流れ方向上流側端部）は、連通路２４ａを介して上流側空間部２２ａの右側端部に連通されている。
バッフルプレート２４は、チャンバ２０の後壁部２０ｂの左端から右端近傍に亙って連続して形成され、チャンバ２０の後壁部２０ｂからインタークーラ４０の後端近傍まで前方へ延びるように形成されている。このバッフルプレート２４は、チャンバ２０の後壁部２０ｂと射出成形によって一体形成されている。
【００４６】
以上により、エンジン１が低負荷運転のとき、導入部２1から導入された吸気は、右方に進行して主に上流側空間部２２ａの左右方向途中部まで達し、エンジン１が高負荷運転のとき、導入部２1から導入された吸気は、上流側空間部２２ａの右側端部から連通路２４ａを通過して下流側空間部２２ｂを左方に向かって流れる。即ち、導入部２1とインタークーラ４０との間に上流側空間部２２ａと下流側空間部２２ｂとが直列状に連なった吸気流路が形成されるため、吸気導入室２２内において導入部２1から導入した吸気は上流側空間部２２ａから下流側空間部２２ｂに亙って導入量に応じた距離を進行する。それ故、吸気は進行距離に応じたインタークーラ４０の通路面積からインタークーラ４０内部を流通するから、吸気の進行距離に応じてインタークーラ４０を流通する吸気流速が変更されている。
【００４７】
図５，図６に示すように、インタークーラ４０は、後側下端部が前側の下端部よりも下方に位置するように傾斜してチャンバ２０の内部に設置されている。
それに伴い、吸気導入室２２の下端部も吸気導出室２３の下端部よりも下方に位置するため、吸気導入室２２の下端部、所謂チャンバ２０の底壁部２０ｃの後端部分が、チャンバ２０の内部空間Ｓの最も低い部分になっている。この低位なチャンバ２０の下部に、吸気が持ち込む水や油及びインタークーラ４０に結露して滴下した凝結水等の液滴（包括的に残留液という）が溜まる傾向がある。特に、吸気に低圧ＥＧＲガスやブローバイガスが混合されている場合、一層、残留液が溜まり易くなる。
【００４８】
チャンバ２０の前側の上部には、吸気導出室２３に開口する接続部２５が形成されている。
図２，図３，図５，図６，図８に示すように、接続部２５は、チャンバ２０の上部に沿って湾曲しながら上方に延びるチャンバ２０よりも通路面積を絞る絞り吸気通路２６に接続されている。
絞り吸気通路２６の前側部分は、チャンバ２０から前方へ凸となる凸部２６ａを形成している。
インタークーラ４０の前端部分に対向する凸部２６ａの内壁部には、バッフルプレート２８が一体的に設けられている。バッフルプレート２８の取付部の吸気の流れ方向上流側には、絞り吸気通路２６の軸心Ｃに対して径方向外側へ膨出したボリューム室２９が形成されている。尚、ボリューム室２９の深さは、凸部２６ａの外壁部に形成されたリブの高さよりも小さく設定されている。
【００４９】
図６，図８に示すように、バッフルプレート２８は、絞り吸気通路２６とチャンバ２０との接続部２５の近傍位置に設けられ、インタークーラ４０によって発生した凝縮水やチャンバ２０の下部に滞留した残留液のうち吸気によって持ち去られた液滴をトラップ可能に構成されている。
このバッフルプレート２８は、吸気の流れ方向下流側程絞り吸気通路２６の軸心Ｃから離隔するように下方へ延びる傾斜状に形成されている。バッフルプレート２８は、平面視にて略三日月状に形成され、絞り吸気通路２６の軸心Ｃ側の端部に略部分円形の切欠部２８ａが設けられている。
【００５０】
以上により、残留液や凝縮水が混入された吸気を絞り吸気通路２６に集約でき、絞り吸気通路２６に設けたバッフルプレート２８で吸気に含まれた液滴をトラップするため、吸気抵抗を最小化しながらコンパクトなバッフルプレート２８で液滴のトラップ量を向上することができる。
しかも、慣性力で軸心Ｃに対して径方向外側を進行する液滴をバッフルプレート２８及びボリューム室２９でトラップしつつ、切欠部２８ａで絞り吸気通路２６の軸心Ｃに対して径方向内側を進行する吸気の主流の流通を許容している。
【００５１】
図２〜図６に示すように、絞り吸気通路２６の上端部から、拡大吸気通路２７が左右横方向に分かれて延びている。拡大吸気通路２７には、図４に示すように、各シリンダ１ａの吸気ポート１ｂに対応した複数のポート開口２７ａが開口しており、吸気装置本体５をエンジン１に組み付けることにより、拡大吸気通路２７は、各ポート開口２７ａを通じて各シリンダ１ａと連通する。絞り吸気通路２６及び拡大吸気通路２７により、略Ｔ字状の下流側吸気通路が構成されている。図５，図６に示すように、第１ガス導入口１８は、絞り吸気通路２６に形成されており、高圧ＥＧＲガスは、絞り吸気通路２６の内部において吸気と混合される。
【００５２】
次に、吸出し手段６について説明する。
図４，図５に示すように、チャンバ２０の下部に溜まる残留液を吸い出すために、吸気装置本体５に、細管状の吸出し手段６が設けられている。吸出し手段６は、主通路６０及び副通路７０を有している。主通路６０は、チャンバ２０を迂回して、チャンバ２０の上流側及び下流側の各吸気通路に連通し、副通路７０は、下流側空間部２２ｂの下部と、主通路６０とに連通している。
【００５３】
副通路７０は、樹脂製の管状部材をチャンバ２０の後側の外面に溶着して形成されており、図５に示すように、チャンバ２０の外面に沿って上下方向に延びている。副通路７０の下端は、下流側空間部２２ｂの下部に連通している。副通路７０は、下流側空間部２２ｂの下端部に開口して底壁部２０ｃの最も低い部分に臨む吸出し口７１を有している。副通路７０の上端は、内部空間Ｓの上部と同等の高さに位置する連通部位８０で主通路６０に接続されている。
【００５４】
主通路６０は、樹脂成形品のエアパイプ６１、ゴム製のホース６２、略Ｔ字形状をしたアスピレータ６３、内部通路６４等で構成されている。主通路６０の中間部位には、チャンバ２０の後側の外面に沿って、内部空間Ｓの上部と同等の高さを左右横方向に延びるように配置されている。この直線部にアスピレータ６３が配置されており、このアスピレータ６３が連通部位８０を構成している。
【００５５】
アスピレータ６３は、樹脂製の管状部材を用いて構成されており、チャンバ２０の後側の外面に溶着してチャンバ２０と一体に形成されている。図１０に示すように、アスピレータ６３は、直線状に延びる管状の流路を形成する主流部６３ａと、主流部６３ａの中間部位から分岐して、主流部６３ａに直交する方向に延びる管状の流路を形成する吸引部６３ｂとを有している。副通路７０は、この吸引部６３ｂを通じて主通路６０と連通している。
主流部６３ａの左側の端部は、先端が開口した管形状に形成されており、ホース６２に挿入して締結固定されている。主流部６３ａの右側の端部には、管状の流路の右端の開口を栓で封止する封止部６３ｃと、封止部６３ｃから分岐して上方に湾曲する湾曲端部６３ｄとが形成されている。
【００５６】
図５に示すように、内部通路６４は、吸気装置本体５におけるチャンバ２０の上部と絞り吸気通路２６との間の部分を延びるように形成されている。内部通路６４は、その上流側の一端が、チャンバ２０の外面で湾曲端部６３ｄと接続されている。内部通路６４は、その下流側の一端で絞り吸気通路２６と連通している。
図３，図５，図６に示すように、絞り吸気通路２６の下流側におけるチャンバ２０側の隆起した内壁面に、左右対向状に２つの小さな液導入口６５が形成されている。内部通路６４の下流側は、これら液導入口６５を通じて絞り吸気通路２６に連通している。
【００５７】
高圧ＥＧＲガスを導入する第１ガス導入口１８は、絞り吸気通路２６の上流側の部位に形成されている。つまり、下流側接続部位よりも上流側に位置するように構成されている。
主通路６０と副通路７０とが連通するＴ字状の合流部位には、ベンチュリ効果によって減圧状態が形成されるように、流路を絞った（流路断面積を小さくした）アスピレータ構造ＡＳが設けられている。
【００５８】
従って、主流部６３ａを吸気が流れると合流部位の内圧が低下し、下流側空間部２２ｂの下部に位置する吸出し口７１から副通路７０を通じて吸い込む吸引力（負圧）が発生する。その結果、下流側空間部２２ｂの下部に凝縮水等の残留液が溜まっても、チャンバ２０の上部まで残留液を効果的に吸い出すことができる。
しかも、バッフルプレート２４が、連通路２４ａを除いてチャンバ２０の後壁部２０ｂからインタークーラ４０の後端部近傍まで前方へ延びて下流側空間部２２ｂの下部に滞留した残留液の上側を覆うため、エンジン１が低負荷運転のとき、吸気導入室２２へ導入された吸気は下流側空間部２２ｂの下部に滞留した残留液に殆ど作用せず、また、エンジン１が高負荷運転のとき、吸気導入室２２へ導入された吸気のうち下流側空間部２２ｂに進行した吸気のみが残留液に作用する。それ故、吸気の流通に伴う残留液の前方移動を抑制できるため、吸出し口７１の開放を回避でき、吸出し機能を確保することができる。
【００５９】
次に、エアパイプ６１について説明する。
図４，図１１，図１２に示すように、エアパイプ６１は、バルブユニット５０に取り付けられており、バルブユニット５０の外側に突出したエアパイプ６１の円筒状の基端部６１ａに、アスピレータ６３が接続されたホース６２の他端が締結固定されている。
バルブユニット５０には、連結通路５１に通じる差込孔５４が形成されており、その差込孔５４にエアパイプ６１が差し込まれ、気密された状態で固定されている。エアパイプ６１が固定された部位は、弁体５２よりも上流側に位置している。
【００６０】
エアパイプ６１の先端部は、連結通路５１の内壁面５１ａから連結通路５１の中心側に突出し、その先端に、管状通路６１ｅを通じてホース６２に吸気を導入する開口６１ｂが形成されている。そして、この開口６１ｂは、上流側に向かうとともに内壁面５１ａから連結通路５１の中心側に離れて位置するように配置されている。
これにより、動圧によって吸気を効率よく開口６１ｂに取り込むことができると共に、連結通路５１の内壁面５１ａを沿って油が流れても、開口６１ｂに油が流入するのを効果的に抑制することができる。
【００６１】
次に、上記エンジン１の吸気装置２の作用・効果について説明する。
このエンジン１の吸気装置２によれば、絞り吸気通路２６がチャンバ２０の下流端部から上方に延びると共にチャンバ２０よりも通路面積を絞るように形成されているため、インタークーラ４０内に導入された吸気は、インタークーラ４０を流通後、貯留されている残留液やインタークーラ４０に付着している凝縮水を混入した状態で絞り吸気通路に全て集約されている。そして、絞り吸気通路２６とチャンバ２０との接続部２５近傍位置に設けたバッフルプレート２８により、集約されつつある吸気から混入している液滴をトラップするため、トラップ性能を確保しつつ、バッフルプレート２８を小型化することができる。
それ故、構造の簡単化を図りつつ、インタークーラ４０内で発生した液滴のエンジン１への流入を防止することができる。
【００６２】
バッフルプレート２８が絞り吸気通路２６の内壁部のうちインタクーラ４０に対向する内壁部分に形成されている。これにより、バッフルプレート２８の大きさが絞り吸気通路２６の内壁部に制限されるため、バッフルプレート２８を最小化することができ、トラップ性能とコンパクト化とを両立することができる。
【００６３】
絞り吸気通路２６が外方へ凸となる凸部２６ａを有し、凸部２６ａの内壁部にバッフルプレート２８を形成している。これにより、凸部２６ａを利用して絞り吸気通路２６の軸心Ｃに対して液滴の流れを偏心させることができ、バッフルプレート２８によって能率的に液滴をトラップすることができる。
【００６４】
バッフルプレート２８のうちの絞り吸気通路２６の軸心Ｃ側端部に略部分円形の切欠部２８ａを設けている。これにより、吸気の主流が流通する絞り吸気通路２６の軸心Ｃ側部分の吸気の流れを許容することができ、バッフルプレート設置に伴う吸気抵抗を低減しながらトラップ性能を確保できる。
【００６５】
バッフルプレート２８が吸気の流れ方向下流側程絞り吸気通路２６の軸心Ｃから離隔するように傾斜状に形成されている。これにより、バッフルプレート設置に伴う吸気抵抗を更に低減しつつ、トラップ性能を確保できる。
【００６６】
バッフルプレート２８の取付部の上流側に絞り吸気通路２６の径方向外側へ膨出したボリューム室２９を設けている。これにより、吸気の通路面積に影響を与えることなく、簡単な構造でトラップ性能を向上することができる。
【００６７】
絞り吸気通路２６にＥＧＲガスを導入している。これにより、トラップ性能を確保しつつ、絞り吸気通路２６を利用してＥＧＲガスを各気筒に均等分配することができる。
【００６８】
次に、図１３に基づき、吸気装置の変形例について説明する。  尚、前記実施形態と同様の主要な構成要素には同じ参照符号を付けて図示し、それらについての説明は省略し、異なる構成要素についてのみ説明する。
前記吸気装置本体５では、絞り吸気通路２６に単一のバッフルプレート２８を設けた例を説明したが、本吸気装置本体５Ａでは、バッフルプレート２８に加えて第２バッフルプレート３１を設けている。
【００６９】
図１３に示すように、インタークーラ４０の前端部分に対向する凸部２６ａの内壁部には、第２バッフルプレート３１が一体的に設けられている。
第２バッフルプレート３１は、バッフルプレート２８と略同じ構造に構成され、バッフルプレート２８の下流側近傍部に設けられている。この第２バッフルプレート３１は、吸気の流れ方向下流側程絞り吸気通路２６Ａの軸心Ｃから離隔するように下方へ延びる傾斜状に形成されている。
第２バッフルプレート３１の取付部とバッフルプレート２８の取付部との間には、絞り吸気通路２６Ａの軸心Ｃに対して径方向外側へ膨出した第２ボリューム室３２が形成されている。
【００７０】
インタークーラ４０によって発生した凝縮水やチャンバ２０の下部に滞留した残留液のうち吸気によって持ち去られる液滴をバッフルプレート２８がトラップし、バッフルプレート２８によってトラップされなかった液滴を流れ方向下流側の第２バッフルプレート３１がトラップするため、更にトラップ量を増加することができる。特に、インタークーラ４０の上側部分に付着した凝縮水のトラップに有効である。
【００７１】
次に、図１４に基づき、吸気装置の他の変形例について説明する。  前記吸気装置本体５では、絞り吸気通路２６に単一のバッフルプレート２８を設けた例を説明したが、本吸気装置本体５Ｂでは、吸気導出室２３に第３バッフルプレート３３を設けている。
【００７２】
図１４に示すように、インタークーラ４０の前端部分に対向するチャンバ２０の前壁部２０ａには、第３バッフルプレート３３が一体的に設けられている。
第３バッフルプレート３３は、チャンバ２０の前壁部２０ａの左端から右端に亙って連続して形成され、チャンバ２０の前壁部２０ａからインタークーラ４０の前端に向かって後方へ延びるように形成されている。
【００７３】
インタークーラ４０によって発生した凝縮水やチャンバ２０の下部に滞留した残留液のうち吸気によって持ち去られた液滴を第３バッフルプレート３３がトラップし、第３バッフルプレート３３によってトラップされなかった液滴を流れ方向下流側のバッフルプレート２８がトラップするため、更にトラップ量を増加することができる。特に、チャンバ２０の下部に滞留した残留液のトラップに有効である。
【００７４】
次に、前記実施形態を部分的に変更した変形例について説明する。
１〕前記実施形態においては、チャンバ２０が５つの分割パーツを連結して構成された樹脂成型品の例を説明したが、分割数は、５分割に限らず組立手順や仕様に応じて任意に設定しても良く、横長通路等を省略して分割数を減少しても良い。
【００７５】
２〕前記実施形態においては、直列４気筒ディーゼルエンジンの例を説明したが、エンジンの型式が限定されるものではなく、レシプロエンジンであっても良く、気筒数や配置レイアウト等は特に限定されない。
３〕その他、当業者であれば、本発明の趣旨を逸脱することなく、前記実施形態に種々の変更を付加した形態で実施可能であり、本発明はそのような変更形態も包含するものである。
【符号の説明】
【００７６】
１            エンジン
２            吸気装置
１８          第１ガス導入口
２０          チャンバ
２６，２６Ａ  絞り吸気通路
２６ａ        凸部
２８          バッフルプレート
２９          ボリューム室
３１          第２バッフルプレート
３２          第２ボリューム室
３３          第３バッフルプレート４０        インタークーラ
Ｓ          内部空間
【図１】
2015124689.tif 000003
【図２】
2015124689.tif 000004
【図３】
2015124689.tif 000005
【図４】
2015124689.tif 000006
【図５】
2015124689.tif 000007
【図６】
2015124689.tif 000008
【図７】
2015124689.tif 000009
【図８】
2015124689.tif 000010
【図９】
2015124689.tif 000011
【図１０】
2015124689.tif 000012
【図１１】
2015124689.tif 000013
【図１２】
2015124689.tif 000014
【図１３】
2015124689.tif 000015
【図１４】
2015124689.tif 000016